(57)【要約】【課題】狭小な敷地面積でも、大量の柩（葬儀後の柩）を容易に収容することができ、来る火葬の期日までに、故人の尊厳を損なうことなく安心して保管できるようにする。【解決手段】外装に断熱材を施し、下層部に開閉扉を備えて外壁となす鉄骨建屋１と、該鉄骨建屋１内の上層部及び下層部に各設置され、前記鉄骨建屋１内に設置された駆動源によって回転するスプロケット１２ａ，１２ｃ（１２ｃ，１２ｄ）と、該両スプロケット１２ａ，１２ｃ（１２ｂ，１２ｄ）間に係回されたエンドレスチェーン１４ａ（１４ｂ）と、該エンドレスチェーン１４ａ（１４ｂ）に沿って等間隔毎に取付けられたチェーンアーム１５ａ（１５ｂ）に揺動自在に吊設してなる柩載置用ケージ１７と、を備え、前記下層部の開閉扉２を開放して前記各柩載置用ケージ１７毎に柩Ｐを載せ、上層部へと順次移動させて保管可能とするメリーゴーランド式となって構成されているものとする。【選択図】図３
2016214734.tif 000002
【特許請求の範囲】
【請求項１】
外装に断熱材を施し、下層部に開閉扉を備えて外壁となす鉄骨建屋と、該鉄骨建屋内の上層部及び下層部に各設置され、前記鉄骨建屋内に設置された駆動源によって回転するスプロケットと、該両スプロケット間に係回されたエンドレスチェーンと、該エンドレスチェーンに沿って等間隔毎に取付けられたチェーンアームに揺動自在に吊設してなる柩載置用ケージと、を備え、前記下層部の開閉扉を開放して前記各柩載置用ケージ毎に柩を載せ、上層部へと順次移動させて保管可能とするメリーゴーランド式となって構成されてなることを特徴とする遺体一時保管用安置所。
【請求項２】
前記鉄骨建屋の天井部内壁には、当該鉄骨建屋内部の温度を０〜５℃に保つための常時運転可能な空調設備を備え、該空調設備の両側には、除菌・消臭用の噴霧状の樹木エキスを常時所定時間だけ散布するための除菌型消臭装置を備えていることを特徴とする請求項１記載の遺体一時保管用安置所。
【請求項３】
前記開閉扉の近傍には、前記駆動源によりスプロケットを回転駆動させて、呼び出したい前記柩載置用ケージを下層部の前記開閉扉位置まで移動させるためのスイッチボタンを備えていることを特徴とする請求項１又は２記載の遺体一時保管用安置所。
【発明の詳細な説明】
【技術分野】
【０００１】
本発明は、葬儀を終えて火葬するまでの間の任意の時間帯に、遺体を収納した柩を一時的に保管しておくためのメリーゴーランド式の遺体一時保管用安置所に関する。
【背景技術】
【０００２】
近年、高齢者人口の増加に伴い、都会地では火葬場のラッシュが予想され、葬儀から火葬までの待ち時間が長期化している傾向にある。しかも、一人暮らしの高齢者の人口も増えており、天国へ飛び立つ時期が訪れた際には、葬儀屋は、遺体の一時預かりのための安置所を探さなくてはならない。また、葬儀が終えて火葬するまでは、大安・友引を避けると約１週間か５日間しかない。ましてや大安や友引を避けるため、２〜３日は必ず待たなくてはならない。そこで遺体を一時的に預かるための安置所を設置する必要性が生じる。
【０００３】
また、上記したような安置所を利用する替わりに、都心地の空き倉庫を利用することも考えられるが、そう簡単に空いている倉庫は無く、また遺体を倉庫に並べる方法では、かなりの広さ、すなわち倉庫内での設置面積の広い場所を確保する必要がある。しかも、このような従来の倉庫は輸送物品を一時保管するためのものであることから、遺体を物として扱うのでは、故人の尊厳を損なうものである。
【０００４】
また、遺体を例えば埼玉県・千葉県・茨城県などの工場の空き倉庫まで輸送して、また火葬場まで運んでくる場合、特に夏期においては、当該遺体は腐るので、冷房管理しなければならなない。そこで、従来では、冷蔵施設を備えた遺体安置所で遺体を保管することも最近では多くなってきている。
【０００５】
従来、上記したような冷蔵施設を備えた遺体安置所としては、例えば特許文献１に開示されているように、遺体を納めた柩を保管するためのラックを備え、内部温度を一定に維持可能とした定温庫と、該定温庫から、ラックに収容された柩を、故人情報を記憶するＩＤカードを使って選択し、この柩を礼拝堂に搬送して遺体に面会させるものとした遺体面会システムが存在する。
【先行技術文献】
【特許文献】
【０００６】
【特許文献１】特開２０１０−２５２５９０号公報
【発明の概要】
【発明が解決しようとする課題】
【０００７】
しかしながら、上記した特許文献１による遺体面会システムでは、例えば３０〜１００以上の大量の柩を収容する場合には、広さが充分に得られていないことから、柩を安置しておくための必要な敷地面積を確保しなければならない。
【０００８】
さらに、特許文献１による遺体面会システムでは、礼拝堂を複数設けてあり、これら礼拝堂の数に応じた別口の複数の遺族が同時に面会することができるようになっていることから、システム全体の敷地面積をも充分に確保しなければならない。また、複数の遺族が同時に面会するに際し、柩の出し入れのための管理作業者も、礼拝堂の数に応じて必要となる。
【０００９】
そこで、本発明は叙上のような従来存した諸事情に鑑み創出されたもので、例えば３〜４坪等の狭小な敷地面積でも、例えば３０〜１００以上の大量の柩（葬儀後の柩）を容易に収容することができ、来る火葬の期日までに、故人の尊厳を損なうことなく安心して保管でき、更に、柩の出し入れが簡単となって、管理者１名であっても容易に管理できるようにした遺体一時保管用安置所を提供することを目的とする。
【課題を解決するための手段】
【００１０】
上述した課題を解決するために、本発明にあっては、外装に断熱材を施し、下層部に開閉扉を備えて外壁となす鉄骨建屋と、該鉄骨建屋内の上層部及び下層部に各設置され、前記鉄骨建屋内に設置された駆動源によって回転するスプロケットと、該両スプロケット間に係回されたエンドレスチェーンと、該エンドレスチェーンに沿って等間隔毎に取付けられたチェーンアームに揺動自在に吊設してなる柩載置用ケージと、を備え、前記下層部の開閉扉を開放して前記各柩載置用ケージ毎に柩を載せ、上層部へと順次移動させて保管可能とするメリーゴーランド式となって構成されてなることを特徴とする。
【００１１】
前記鉄骨建屋の天井部内壁には、当該鉄骨建屋内部の温度を０〜５℃に保つための常時運転可能な空調設備を備え、該空調設備の両側には、除菌・消臭用の噴霧状の樹木エキスを常時所定時間だけ散布するための除菌型消臭装置を備えていることを特徴とする。
【００１２】
前記開閉扉の近傍には、前記駆動源によりスプロケットを回転駆動させて、呼び出したい前記柩載置用ケージを下層部の前記開閉扉位置まで移動させるためのスイッチボタンを備えていることを特徴とする。
【発明の効果】
【００１３】
本発明によれば、例えば３〜４坪等の狭小な敷地面積でも、例えば３０〜１００以上の大量の柩（葬儀後の柩）を容易に収容することができ、来る火葬の期日までに、故人の尊厳を損なうことなく安心して保管でき、更に、柩の出し入れが簡単となって、管理者１名であっても容易に管理することができる。
【００１４】
すなわち、外装に断熱材を施し、下層部に開閉扉を備えて外壁となす鉄骨建屋と、該鉄骨建屋内の上層部及び下層部に各設置され、前記鉄骨建屋内に設置された駆動源によって回転するスプロケットと、該両スプロケット間に係回されたエンドレスチェーンと、該エンドレスチェーンに沿って等間隔毎に取付けられたチェーンアームに揺動自在に吊設してなる柩載置用ケージと、を備え、前記下層部の開閉扉を開放して前記各柩載置用ケージ毎に柩を載せ、上層部へと順次移動させて保管可能とするメリーゴーランド式となって構成されてなるので、例えば３〜４坪程のわずかな土地があれば容易に且つ安価に設置することができる。因みに、約６畳１間の広さがあれば３０〜５０の遺体（それ以上も可）を楽々と預かることができる。しかも１箇所の安置所に少なくとも１００程度の柩を収容管理することができ、柩の出し入れも簡単で、管理者１名でも容易に管理することができる。また、場所を選ばず、都会地でも設置が可能で、火葬場の近辺に設置すれば柩の輸送にも時間が掛からない。
【００１５】
また、前記鉄骨建屋の天井部内壁には、当該鉄骨建屋内部の温度を０〜５℃に保つための常時転可能な空調設備を備え、該空調設備の両側には、除菌・消臭用の噴霧状の樹木エキスを常時所定時間だけ散布するための除菌型消臭装置を備えているので、火葬の待ち時間が来るまで、柩に納められた遺体の腐敗を未然に防止することができるとともに、鉄骨建屋内部に臭気（死臭）が充満してしまうのを確実に防止することができる。
【００１６】
更に、前記開閉扉の近傍には、前記駆動源によりスプロケットを回転駆動させて、呼び出したい前記柩載置用ケージを下層部の前記開閉扉位置まで移動させるためのスイッチボタンを備えているので、火葬の待ち時間が来た柩を前記スイッチボタンの操作で下層部まで順次移動させることで、前記開閉扉から順番に搬送することができる。
【図面の簡単な説明】
【００１７】
【図１】本発明を実施するための一形態における遺体一時保管用安置所の開閉扉部分の礼拝堂造りの一例を示す正面図である。
【図２】同じく霊柩車によって柩が移送されている状態の遺体一時保管用安置所を側面から視た断面図である。
【図３】同じく遺体一時保管用安置所を正面から視た断面図である。
【図４】同じく遺体一時保管用安置所の開閉扉内側を正面から視た断面図である。
【図５】同じく遺体一時保管用安置所を上方から視た断面図である。
【発明を実施するための形態】
【００１８】
以下、図面を参照して本発明の実施の一形態を詳細に説明する。本実施形態の遺体一時保管用安置所は、図２及び図３に示すように、外装に断熱材を施し、下層部に観音開き状の開閉扉２を備えて外壁となす、例えば高さ約３０ｍ、横幅約３〜４ｍ程度の縦長箱状の鉄骨建屋１となって構成されている。
【００１９】
前記観音開き状の開閉扉２の外側は、図１に示すように、宗教的伽藍によって装飾された礼拝堂造りとなっている。すなわち、複数本の支柱３によって支持された御椀状のドーム４が前記開閉扉２の外面上側に付設され、該ドーム４の上には、仏閣と同じような塔５を備えている。また、鉄骨建屋１の外壁全体に装飾を施しても良い。なお、この礼拝堂造りは、本実施形態の単なる一例を示したに過ぎず、他のどのような造りであっても良い。
【００２０】
鉄骨建屋１の内部には、図２及び図３に示すように、縦長の矩形枠状となった前後一対のガイドレール１１ａ，１１ｂが鉄骨建屋１の内壁に支持された状態となって付設され、両ガイドレール１１ａ，１１ｂの上層部には、車軸１３ａを介して前後一対となった上部スプロケット１２ａ，１２ｂが回転自在に枢着され、これらに対応すべく、両ガイドレール１１ａ，１１ｂの下層部には、車軸１３ｂを介して前後一対となった下部スプロケット１２ｃ，１２ｄが回転自在に枢着されている。
【００２１】
また、前記上部スプロケット１２ａ，１２ｂの車軸１３ａ又は下部スプロケット１２ｃ，１２ｄの車軸１３ｂには、不図示の駆動源が不図示の適宜ギアを介して連繋され、この駆動源の作動によって上部スプロケット１２ａ，１２ｂ又は下部スプロケット１２ｃ，１２ｄが回転駆動されるものとなっている。
【００２２】
前側に位置する前記上部スプロケット１２ａと下部スプロケット１２ｃとの間には、前側エンドレスチェーン１４ａが係回され、これに対応すべく、後側に位置する前記上部スプロケット１２ｂと下部スプロケット１２ｄとの間には、後側エンドレスチェーン１４ｂが係回されている。
【００２３】
また、図３、図４に示すように、前側エンドレスチェーン１４ａの長さ方向に沿って離間配置されているリンク部分の等間隔置きの２箇所に、Ｖ字形の前側チェーンアーム１５ａのＶ字両端部１６ａ，１６ｂが各固定され、これに対応すべく、後側エンドレスチェーン１４ｂの長さ方向に沿って離間配置されているリンク部分の等間隔置きの２箇所に、Ｖ字形の後側チェーンアーム１５ｂのＶ字両端部１６ａ，１６ｂが各固定されている。そして、前後側の両チェーンアーム１５ａ，１５ｂのＶ字尖端部１６ｃそれぞれには、矩形カゴ状に枠組みされた柩載置用ケージ１７のケージ上端部１７ａが枢着され、柩載置用ケージ１７は両チェーンアーム１５ａ，１５ｂに対しＶ字尖端部１６ｃを支点として左右方向に揺動自在となるように吊設された状態となっている（図５も参照）。
【００２４】
前記鉄骨建屋１の天井部の内壁中央には、図２及び図３に示すように、当該鉄骨建屋１の内部温度を約０〜５℃に保つための常時運転可能な空調設備２１（冷房装置）を備え、該空調設備２１の両側には、除菌・消臭用の噴霧状の樹木エキスである、例えば遺体の内部を濡らさない「なからっぽ（登録商標）」なる霧剤を常時所定時間だけ散布するための除菌型消臭装置２２を取付けてある。
【００２５】
前記開閉扉２の近傍には、前記駆動源を作動させるための不図示のスイッチボタンを備え、このスイッチボタンの押操作によって駆動源を作動させることで、上部スプロケット１２ａ，１２ｂ又は下部スプロケット１２ｃ，１２ｄが回転し、呼び出したい前記柩載置用ケージ１７を下層部の前記開閉扉２位置まで移動させるようにしてある。尚、このスイッチボタンは開閉扉２の近傍の鉄骨建屋１外壁又は内壁、あるいは上記した前後ガイドレール１１ａ，１１ｂの何れかの下層部に取り付けてあっても良い。
【００２６】
また、図２乃至図５に示すように、前記前側ガイドレール１１ａの下層側と、前記開閉扉２との間の床面ＦＬ上には、滑りローラ２３が配置されている。この滑りローラ２３の床面ＦＬからの高さは、柩載置用ケージ１７が最下位に移動した際に、当該柩載置用ケージ１７の底部と同じ高さに位置するように配置されており、開放した開閉扉２側に霊柩車Ｑの後部扉側を近接移動させ、霊柩車Ｑに乗せられている柩Ｐを上記滑りローラ２３に沿って搬入し、柩載置用ケージ１７にスムーズに載せられるようにしてある。また、柩Ｐを火葬場へ運ぶ際には、柩載置用ケージ１７に載せられている柩Ｐを滑りローラ２３に沿って搬出し、開放されている開閉扉２側に移動させた霊柩車Ｑの後部扉から当該柩Ｐをスムーズに乗せることができる。
【００２７】
このように上記構成による鉄骨建屋１は、前記下層部の開閉扉２を開放して前記各柩載置用ケージ１７毎に柩Ｐを載せ、上層部へと順次移動させて保管可能とするメリーゴーランド式となっている。しかも、目的の柩Ｐ（遺体）を運び出したい場合には、スイッチボタン１つで立体型回転軌道に沿って柩載置用ケージ１７が順次回転移動し、このうちの目的の柩Ｐ（遺体）を載せた柩載置用ケージ１７が開閉扉２側ヘと自動的に運ばれてくるので、火葬の待ち時間が来た遺体は、順番に搬送できることとなる。
【００２８】
次に、以上のように構成された形態についての使用の一例について説明すると、図２に示すように、葬儀後に霊柩車Ｑによって運ばれてきた柩Ｐを鉄骨建屋１に保管する場合、先ず、開閉扉２を開放し、霊柩車Ｑの後部扉側をこの開放口に近接移動させておく。
【００２９】
そして、スイッチボタンの押操作によって駆動源を作動させ、空の柩載置用ケージ１７を下層部の開閉扉２位置まで回転移動させる。
【００３０】
次に、霊柩車Ｑの後部扉を開けて、霊柩車Ｑに乗せられている柩Ｐを上記滑りローラ２３に沿って搬入し、柩載置用ケージ１７に載せた後、再度、スイッチボタンを押操作して、柩Ｐを載せた柩載置用ケージ１７を上層部へ回転移動させ、次の柩Ｐの搬入のために、空となっている柩載置用ケージ１７を下層部の開閉扉２位置まで回転移動させておく。しかる後、開閉扉２を閉鎖して施錠しておく。
【００３１】
火葬の期日が到来し、柩Ｐを火葬場へ運ぶ際には、先ず開閉扉２を開放し、霊柩車Ｑの後部扉側をこの開放口に近接移動させ、霊柩車Ｑの後部扉を開けておく。
【００３２】
スイッチボタンの押操作によって駆動源を作動させ、運び出したい柩載置用ケージ１７を下層部の開閉扉２位置まで回転移動させる。
【００３３】
柩載置用ケージ１７に載せられている柩Ｐを滑りローラ２３に沿って搬出し、開放されている開閉扉２側に移動させてある霊柩車Ｑの後部扉から当該柩Ｐを当該霊柩車Ｑに乗せた後、後部扉を閉める。こうして柩Ｐは霊柩車Ｑによって火葬場へと運ばれる。
【符号の説明】
【００３４】
Ｐ…柩
Ｑ…霊柩車
ＦＬ…床面
１…鉄骨建屋
２…開閉扉
３…支柱
４…ドーム
５…塔
１１ａ…前側ガイドレール
１１ｂ…後側ガイドレール
１２ａ，１２ｂ…上部スプロケット
１２ｃ，１２ｄ…下部スプロケット
１３ａ，１３ｂ…車軸
１４ａ…前側エンドレスチェーン
１４ｂ…後側エンドレスチェーン
１５ａ…前側チェーンアーム
１５ｂ…後側チェーンアーム
１６ａ，１６ｂ…Ｖ字両端部
１６ｃ…Ｖ字尖端部
１７…柩載置用ケージ
１７ａ…ケージ上端部
２１…空調設備
２２…除菌型消臭装置
２３…滑りローラ
【図１】
2016214734.tif 000003
【図２】
2016214734.tif 000004
【図３】
2016214734.tif 000005
【図４】
2016214734.tif 000006
【図５】
2016214734.tif 000007